(57)【要約】【課題】加工時間増大とともに、ブラシ毛材に発生する寝癖を抑えるとともに、酸及び水を使用する加工において安定した性能を持続するブラシロールを提供する。【解決手段】各種加工をする為のブラシロールにおいて、前記ブラシロールの毛材には、曲げ回復力、曲げ弾性、及び耐候性に秀でた特性を持つポリトリメチレンテレフタレート繊維、あるいはポリトリメチレンテレフタレート繊維と異種繊維から構成されたものである。【特許請求の範囲】
【請求項１】
鋼板、非鉄金属板、樹脂板、フィルム状組成物、及びガラス板等の清掃、研削、研磨、表面処理、洗浄、バリ取りに使用されるブラシロールにおいて、前記ブラシロールは、少なくとも、芯材あるいは基台、及び毛材から構成され、前記毛材はポリトリメチレンテレフタレート繊維、あるいはポリトリメチレンテレフタレート繊維と異種繊維から構成されてあることを特徴とするブラシロール。
【請求項２】
請求項１記載の構成よりなるブラシロールにおいて、前記毛材はポリトリメチレンテレフタレート繊維と異種繊維が交互に形成されてあることを特徴とするブラシロール。
【請求項３】
請求項１から２記載の構成よりなるブラシロールにおいて、前記毛材の少なくとも１本以上は、毛先に近くなる程、断面積が大から小に徐変することを特徴とするブラシロール。
【請求項４】
請求項１から３記載の構成よりなるブラシロールにおいて、前記毛材の毛丈に段差が形成されてあることを特徴とするブラシロール。
【請求項５】
請求項１から４記載の構成よりなるブラシロールにおいて、前記毛材の少なくとも１本以上の断面が、多角形に形成されてあることを特徴とするブラシロール。
【請求項６】
請求項１から５記載の構成よりなるブラシロールにおいて、前記毛材の少なくとも１本以上が撚り状体に形成されてあることを特徴とするブラシロール。
【請求項７】
請求項１から６記載の構成よりなるブラシロールにおいて、前記毛材の少なくとも１本以上に先割れ部が形成されてあることを特徴とするブラシロール。
【請求項８】
請求項１から７記載の構成よりなるブラシロールにおいて、前記毛材の少なくとも１本以上に屈折部、あるいは屈曲部が形成されてあることを特徴とするブラシロール。
【発明の詳細な説明】
【技術分野】
【０００１】  本発明は、鋼板、非鉄金属板、樹脂板、フィルム状組成物、及びガラス板等の清掃、研削、研磨、表面処理、洗浄、バリ取りに使用されるブラシロールに関し、特に曲げ回復力、及び耐候性に秀でた毛材を構成要素として持つブラシロールに関するものである。
【背景技術】
【０００２】  一般的に、被加工物の塵埃の除去や表面の加工には、ブラシロールを回転させながら被加工物表面にたいして接触させ、所定の清浄度あるいは表面の加工精度を得ている。前記のような塵埃の除去や表面の加工において、ブラシロール一回転毎に、ブラシロールの毛材には接触による繰り返し曲げ荷重が加わる。更に一定の使用に達すると毛材自身の回復力が衰え、倒れや曲げを引き起こし、恒久的に寝癖が発生し使用の域に達しなくなる問題があった。前記の如くの問題を克服する為、従来のブラシロールに関しては、使用する毛材は、アミド基の水素結合により優れた耐曲げ性を示すポリアミド系樹脂繊維、特にナイロン６又はナイロン６６が毛材として多く使われている。【０００３】  また、ブラシロールに関しては、使用目的に応じて、様々な改良がなされ、例えば、鋼板生産ラインの厚板や薄板等の研磨や磨きに充当できるブラシロールであってブラシ毛材がポリアミドフィラメント糸であってハロゲン化高分子化合物の膜で表面が被覆されている或いはポリアミドフィラメント糸の束に合成繊維の細いフィラメントのスパイラル巻きつけまたは組紐様組織による被覆を施しハロゲン化高分子化合物の膜で表面を被覆又は含浸させた事により水のスプレー下で吸湿、吸水による膨潤を防止しブラシ毛材のこわさが低下する点を解消する特徴を有している技術が特開平８−１６８９６８号公報に開示されてある。【０００４】  従来のブラシロールの毛材は、例えば、上記の如くアミド基の水素結合により、優れた耐曲げ性を示すポリアミド系樹脂繊維、特にナイロン６又はナイロン６６が毛材として多く使われているが、前記毛材はアミド基を有する為、吸湿、吸水性が高く、水滴、水中下において膨潤し著しく弱化する課題を有している上、酸に侵されるという課題を有している。又、前記毛材は、耐曲げ性に優れているものの、依然として曲げ荷重の繰り返しによる寝癖の発生を克服していない課題も有している。【０００５】  又、特開平８−１６８９６８号公報に開示されてある技術においては、製造工程が複雑で、製造コストが高くなると共に、ハロゲン化高分子化合物としてポリ塩化ビニリデン、ポリ３フッ化塩化エチレン、フッ化ビニリデン等の塩化化合物、フッ化高分子化合物を使用し被膜加工又は含浸加工させている。その為、塩化化合物については、焼却時に有毒ガスが発生する課題を有している。又フッ化高分子化合物については素材自体が高価であるという課題も有している。【０００６】
【特許文献】  特開平８−１６８９６８号公報
【発明の開示】
【発明が解決しようとする課題】
【０００７】  そこで、本発明は、上記従来の問題点に鑑みてなされたものであり、ブラシロールに構成されてあるブラシ毛材に、強い曲げ回復力を付与し、繰り返し曲げ荷重による毛材自身の寝癖を引き起こし難くすると共に、吸水による膨潤を防止し、ブラシ毛材のこわさが低下する点を解消し、且つ耐酸性を有するブラシロールを提供することを目的としている。
【課題を解決するための手段】
【０００８】  上記課題を解決するために、本発明は、ブラシロールに構成されてあるブラシ毛材にポリトリメチレンテレフタレート繊維を使用する又はポリトリメチレンテレフタレート繊維と異種繊維が使用されてあるものである。【０００９】  また、第２の課題解決手段は、ブラシロールを構成するブラシ毛材はポリトリメチレンテレフタレート繊維と異種繊維が交互に形成されてあるものである。【００１０】  また、第３の課題解決手段は、ブラシロールを構成するブラシ毛材のポリトリメチレンテレフタレート繊維と異種繊維は少なくとも１本以上を、毛先に近くなる程、断面積が大から小に徐変する様に形成されてあるものである。【００１１】  また、第４の課題解決手段は、ブラシロールを構成するブラシ毛材のポリトリメチレンテレフタレート繊維と異種繊維の毛丈に段差が形成されてなるものである。例えば、前記ブラシロールの外周は一律の高さでなくブラシ毛材の高低差を設けた状態に形成されてあるものである。【００１２】  また，第５の課題解決手段は、ブラシロールを構成するブラシ毛材のポリトリメチレンテレフタレート繊維と異種繊維は少なくとも１本以上の断面が、多角形に形成されてあるものである。【００１３】  また、第６の課題解決手段は、ブラシロールを構成するブラシ毛材のポリトリメチレンテレフタレート繊維と異種繊維は少なくとも１本以上が撚り状体に形成されてあるものである。【００１４】  また、第７の課題解決手段は、ブラシロールを構成するブラシ毛材のポリトリメチレンテレフタレート繊維と異種繊維は少なくとも１本以上が先割れ部を形成されてあるものである。【００１５】  また、第８の課題解決手段は、ブラシロールを構成するブラシ毛材のポリトリメチレンテレフタレート繊維と異種繊維は少なくとも１本以上に屈折部、あるいは屈曲部が形成されてあるものである。【００１６】  上記第１の課題解決手段による作用は次の通りである。本発明のブラシロールの構成によれば、ブラシロールのブラシ毛材はポリトリメチレンテレフタレート繊維、あるいはポリトリメチレンテレフタレート繊維と異種繊維から構成されている。前記の如く、いずれの場合にもブラシロールの構成にポリトリメチレンテレフタレート繊維が含まれる。ポリトリメチレンテレフタレート繊維は結晶構造中で分子鎖が繊維軸方向にジグザグのバネ状に屈曲している為、非常に高い伸長回復率を有すると共に、曲げ荷重に対し優れた曲げ回復力を持つ。従って、ブラシ毛材の寝癖は、ポリトリメチレンテレフタレート繊維をブラシ毛材に使用することにより、長期に渡って発生しなくなる。また、ブラシロ−ルのブラシ毛材にポリトリメチレンテレフタレート繊維と異種繊維を混在させた場合においても、ポリトリメチレンテレフタレート繊維はブラシロール中で柱ないし壁の機能を果たし、異種繊維の曲げ回復力不足を補完することができる。【００１７】  また、本発明によれば、ブラシロールのブラシ毛材はポリトリメチレンテレフタレート繊維、あるいはポリトリメチレンテレフタレート繊維と異種繊維から構成されている。前記の如く、いずれの場合にもポリトリメチレンテレフタレート繊維が含まれる。ポリトリメチレンテレフタレート繊維は、ナイロン６あるい���ナイロン６６に比較し吸水率が、非常に低い繊維である。従ってポリトリメチレンテレフタレート繊維を構成に加えることにより、水のスプレー下または水中下において吸湿、吸水による膨潤あるいはブラシ毛材のこわさの低下を受け難くすることができる。また、ポリトリメチレンテレフタレート繊維は酸に対し強く、ブラシロールに優れた耐酸性を付与することが可能となる。【００１８】  更に、ブラシロールのブラシ毛材はポリトリメチレンテレフタレート繊維、あるいはポリトリメチレンテレフタレート繊維と異種繊維から構成されている。前記の如く、いずれの場合にもポリトリメチレンテレフタレート繊維が含まれる。ポリトリメチレンテレフタレート繊維は、ポリエステル系分類の分子構造の為、使用後にケミカルリサイクルすることが可能であるとともに、やむを得ず焼却に至った場合も、酸素、炭素、水素、の元素より構成されている為、完全燃焼による排出物は水と二酸化炭素のみにすることができる。【００１９】  また、第２の課題解決手段による作用は、曲げ荷重に対し優れた曲げ回復力特性を持つポリトリメチレンテレフタレート繊維と異種繊維がブラシロール中に交互に構成されてある為、優れた曲げ回復力特性を持つポリトリメチレンテレフタレート繊維がブラシロール中で、柱ないし壁の機能を果たし。又規則的に配列する事により効果的及び安定的に異種繊維の曲げ回復力不足を、補完することができる。【００２０】  また、第３の課題解決手段による作用は、微細な凹凸形状にたいし、毛先の断面積を大から小に徐変する事により効果的なブラシ毛材の接触を可能とするものである。通常、毛先の断面積を小にした場合、毛材の曲げ回復力は著しく劣り、所定の曲げ弾性を得る事ができない。しかしながらポリトリメチレンテレフタレート繊維は非常に高い伸長回復率、あるいは優れた曲げ回復力特性を得られる為、ブラシ毛材にポリトリメチレンテレフタレート繊維、あるいはポリトリメチレンテレフタレート繊維と異種繊維を使用することにより、ブラシ毛材の曲げ回復力不足に陥る事を回避できる。また、ポリトリメチレンテレフタレート繊維は強アルカリによって先細り形状を容易に形成することができる。【００２１】  また、第４の課題解決手段による作用は、ブラシロールの前記ブラシ毛材のポリトリメチレンテレフタレート繊維、あるいはポリトリメチレンテレフタレート繊維と異種繊維の毛丈に段差が形成されることにより、例えば、毛腰の強いポリトリメチレンテレフタレート繊維の毛丈を低くし、毛腰の弱い異種繊維の毛丈を高くした場合、被加工物表面にたいしてブラシ毛材の毛腰は、毛元部分は強く毛先部分は弱く設定できる。また毛腰の強いポリトリメチレンテレフタレート繊維の毛丈を高くし毛腰の弱い異種繊維の毛丈を低くした場合、異種繊維にたいしポリトリメチレンテレフタレート繊維の毛丈が高く突き出た部分ではポリトリメチレンテレフタレート繊維の自由度が高く、より強い弾力性で被加工物表面に当接させる事ができる。したがって段差の度合いを変化設定することによりブラシロールの毛腰を任意に設定できる。【００２２】  また、第５の課題解決手段による作用は、ブラシロールを構成するブラシ毛材のポリトリメチレンテレフタレート繊維、あるいはポリトリメチレンテレフタレート繊維と異種繊維は少なくとも１本以上の断面が、多角形に形成することにより、外周長の短い円筒形に比較し多角形では、より長いエッジ長を得られ、広範囲を効率良く加工する事ができる。【００２３】  また、第６の課題解決手段による作用は、ブラシロールを構成するブラシ毛材のポリトリメチレンテレフタレート繊維、あるいはポリトリメチレンテレフタレート繊維と異種繊維は少なくとも１本以上が撚り状体に形成する事により、ポリトリメチレンテレフタレート繊維がバネ状に撚られ、更に曲げ回復力を高めることが可能となる。【００２４】  また、第７の課題解決手段による作用は、ブラシロールを構成するブラシ毛材のポリトリメチレンテレフタレート繊維、あるいはポリトリメチレンテレフタレート繊維と異種繊維は少なくとも１本以上が先割れ部を形成する事により、微細な凹凸形状にたいし、効果的なブラシ毛材の接触を可能とするものである。通常、毛材の先端に先割れ部を形成した場合、１本の毛材が無数の細毛に分割される為、曲げ回復力が極端に不足する状態に陥った。しかしながらポリトリメチレンテレフタレート繊維は優れた曲げ回復力特性を持つ為、曲げ回復力不足に陥り難くできる。【００２５】  また、第８の課題解決手段による作用は、ブラシロールを構成するブラシ毛材のポリトリメチレンテレフタレート繊維、あるいはポリトリメチレンテレフタレート繊維と異種繊維をジグザグ状に外形形状を形成することにより、ポリトリメチレンテレフタレート繊維が結晶構造中で分子鎖が繊維軸方向にジグザグのバネ状に屈曲している状態に加えポリトリメチレンテレフタレート繊維と異種繊維の外形形状をバネ状に屈折あるいは屈曲させることで、外部応力にたいして屈曲、屈折部でスムーズに応力を逃すことができる。また外部応力が無くなるとスムーズに元の形状に戻る為、屈折あるいは屈曲部を設ける事で、更に曲げ回復力を高めることが可能となる。
【発明の効果】
【００２６】  本発明のブラシロールは、鋼板、非鉄金属板、樹脂板、フィルム状組成物、及びガラス板等の清掃、研削、研磨、表面処理、洗浄、バリ取りの加工において、被加工面に当接するブラシロールに構成されてあるブラシ毛材に、結晶構造中で分子鎖が繊維軸方向にジグザグのバネ状に屈曲しているため、非常に高い伸長回復率及び曲げ回復力を誇るポリトリメチレンテレフタレート繊維を単独、あるいはポリトリメチレンテレフタレート繊維と異種繊維を使用することにより、ブラシロールに繰り返し曲げ荷重による毛材自身の倒れや曲げに対し強い曲げ回復力を付与し、寝癖が発生し難くできる。更にポリトリメチレンテレフタレート繊維を毛材に使用することにより、吸水による膨潤を防止しブラシ毛材のこわさが低下する点を解消するとともに耐酸性も向上させることができ、通常の乾燥した状態だけでなく水滴、水中下、酸性液中下の広い条件下でブラシロールの初期能力を長期に渡って持続できる。また、ポリトリメチレンテレフタレート繊維は、使用後にケミカルリサイクルすることが可能で環境問題に配慮したブラシロールの製作ができる。
【発明を実施するための最良の形態】
【００２７】  第１の発明は、本発明のブラシロールは、少なくとも、芯材あるいは基台、及び毛材から構成され、毛材には、ポリトリメチレンテレフタレート繊維、あるいはポリトリメチレンテレフタレート繊維と異種繊維から構成されてある。前記の如く、いずれの場合にもブラシロールの構成にポリトリメチレンテレフタレート繊維が含まれる。ポリトリメチレンテレフタレート繊維は結晶構造中で分子鎖が繊維軸方向にジグザグのバネ状に屈曲しているため、非常に高い伸長回復率を誇るとともに、曲げ荷重に対し優れた曲げ回復力を持つ。従って、ブラシ毛材の寝癖は、ポリトリメチレンテレフタレート繊維をブラシ毛材に使用することにより長期に渡って発生しなくなる。【００２８】  また、本発明のブラシロールのブラシ毛材は上記の如く、ポリトリメチレンテレフタレート繊維、あるいはポリトリメチレンテレフタレート繊維と異種繊維から構成されてある。いずれの場合にもポリトリメチレンテレフタレート繊維が含まれる。ポリトリメチレンテレフタレート繊維は、ナイロン６あるいはナイロン６６に比較し吸水率が、非常に低い繊維である。従ってポリトリメチレンテレフタレート繊維を構成に加えることにより、水のスプレー下または水中下において吸湿、吸水による膨潤、あるいはブラシ毛材のこわさの低下を受け難くすることができる。また、ポリトリメチレンテレフタレート繊維は酸に対し強くブラシロールに優れた耐酸性を付与することが可能となる。【００２９】  また、本発明のブラシロールのブラシ毛材は上記の如く、ポリトリメチレンテレフタレート繊維、あるいはポリトリメチレンテレフタレート繊維と異種繊維から構成されてある。いずれの場合にもポリトリメチレンテレフタレート繊維が含まれる。ポリトリメチレンテレフタレート繊維は、酸素、炭素、水素、の元素より構成されている為、使用後ケミカルリサイクルすることが可能である。【００３０】  現在、容器包装リサイクル法が再商品化のリサイクル手法として認めているケミカルリサイクルには、原料・モノマー化、油化、高炉還元剤としての利用、コークス炉化学原料化、ガス化による化学原料化がある。ポリトリメチレンテレフタレート繊維では原料が炭素と水素からできていることを利用し、熱及び圧力を加え、元の石油や基礎化学原料に戻し、再生利用するケミカルリサイクルが可能である。【００３１】  また、やむを得ず焼却に至った場合も、完全燃焼による排出物は水と二酸化炭素のみにすることができる。【００３２】  第２の発明は、曲げ荷重に対し優れた曲げ回復力特性を持つポリトリメチレンテレフタレート繊維と異種繊維がブラシロール中に交互に構成されてある。ポリトリメチレンテレフタレート繊維毛材は前記の如く、優れた曲げ回復力特性を持つ為、ポリトリメチレンテレフタレート繊維毛材はブラシロール中において構造的に柱ないし壁の機能を果たす。例えば、ナイロン、ＰＥＴ、ＰＰ、ＰＥ等繊維毛材はポリトリメチレンテレフタレート繊維毛材に比較し曲げ回復力が劣る、ナイロン、ＰＥＴ、ＰＰ、ＰＥ等繊維毛材が曲げ回復力不足に陥った場合、曲げ回復力に余裕のあるポリトリメチレンテレフタレート繊維毛材がナイロン、ＰＥＴ、ＰＰ、ＰＥ等繊維毛材が倒れて寄り掛かろうとする状態を押し戻しブラシロール中で寝癖が起きにくくできる。又規則的に配列する事により異種繊維の曲げ回復力不足を、更に安定的、効果的に補完することができる。【００３３】  第３の発明は、本発明のブラシロールのブラシ毛材の少なくとも１本以上を、毛先に近くなる程、断面積が大から小に徐変するように形成させることにより、微細な凹凸形状にたいし、毛材先端部の断面積を小にして凹凸の僅かな隙間にも毛先が届く効果的なブラシ毛材の接触を可能とするものである。通常、毛材の断面積が減少した場合、毛材の曲げ回復力は著しく劣り、所定の曲げ弾性を得る事ができない。しかしながらポリトリメチレンテレフタレート繊維は非常に高い伸長回復率、あるいは優れた曲げ回復力特性を得られる為、ブラシ毛材にポリトリメチレンテレフタレート繊維、あるいはポリトリメチレンテレフタレート繊維と異種繊維を使用することにより、たとえ毛材の断面積が減少したとしてもブラシ毛材の曲げ回復力不足に陥り難い。また、ポリトリメチレンテレフタレート繊維は強アルカリを含浸処理させる事により、先が細い形状を容易に形成することができる。【００３４】  第４の発明は、ブラシロールの前記ブラシ毛材のポリトリメチレンテレフタレート繊維、あるいはポリトリメチレンテレフタレート繊維と異種繊維の毛丈に段差を形成する。例えば被加工面が非常に傷つき易く、また、奥行きのあるものであった場合、ブラシ毛材を被加工面に対して深く当接させ被加工面の低い部位にブラシ毛材が届く位置に設定する。しかし、この場合被加工面の高い部分には、高い圧力が被加工面に掛かり傷を付ける可能性が高い、また、低い部分においては毛腰が柔らかすぎる問題が起こる。前記問題においては、次の解決策が考えられる、毛腰の強いポリトリメチレンテレフタレート繊維の毛丈を低くし、毛腰の弱い異種繊維の毛丈を高くすることにより、被加工物表面にたいしてブラシ毛材は、毛元部分は強く毛先部分は弱く設定でき、被加工面に傷を付け難く且つ被加工面の高い部分、低い部分に関係なく全体に当接させる事が可能となる。また毛腰の強いポリトリメチレンテレフタレート繊維の毛丈を高くし毛腰の弱い異種繊維の毛丈を低くした場合、異種繊維に対しポリトリメチレンテレフタレート繊維の毛丈が高く突き出た部分ではポリトリメチレンテレフタレート繊維の自由度が高く、より強い弾力性で被加工物表面に当接させる事ができる。前記の如く、ポリトリメチレンテレフタレート繊維の毛丈と異種繊維の毛丈の段差の度合いを変化設定させることによりブラシロールの毛腰を任意に変化設定する事が可能となる。【００３５】  第５の発明は、ブラシロールを構成するブラシ毛材のポリトリメチレンテレフタレート繊維、あるいはポリトリメチレンテレフタレート繊維と異種繊維は少なくとも１本以上の断面が、多角形に形成することにより、外周長だけの円筒形に比較し、多角形では長いエッジ長を得られるとともに、毛材の繊維軸方向にエッジが形成される。更に３線が交わり各角度を持つ鋭利なエッジを設定する事が可能となり、ブラシ毛材のエッジで被加工面の広範囲を効率良く加工する事ができる。【００３６】  第６の発明は、ブラシロールを構成するブラシ毛材のポリトリメチ���ンテレフタレート繊維、あるいはポリトリメチレンテレフタレート繊維と異種繊維は少なくとも１本以上が撚り状体に形成する事により、外形形状がバネ状に形成され、バネと同じように外部応力にたいして、スムーズに応力を逃す。又、応力がなくなるとスムーズに回復する為、更に曲げ回復力が高くできる。又、異繊維をナイロン、ＰＥＴ、ＰＰ、ＰＥ等の繊維とした場合、ナイロン、ＰＥＴ、ＰＰ、ＰＥ等繊維はポリトリメチレンテレフタレート繊維に比較し曲げ回復力が劣るが、ブラシロールの毛材の撚り状体に優れた曲げ回復力特性を持つポリトリメチレンテレフタレート繊維を撚り入れる事により、ポリトリメチレンテレフタレート繊維は毛材の芯材の役割を果たす。よってナイロン、ＰＥＴ、ＰＰ、ＰＥ等繊維の曲げ回復力不足を効果的に補いブラシロール毛材全体に寝癖が付きにくくなる。【００３７】  第７の発明は、ブラシロールを構成するブラシ毛材のポリトリメチレンテレフタレート繊維、あるいはポリトリメチレンテレフタレート繊維と異種繊維は少なくとも１本以上が先割れ部を形成する事により、毛材先端を複数本に分割し１本当り断面積を小にすることで、凹凸の僅かな隙間にも毛先が届く効果的なブラシ毛材の接触を可能とするものである。通常、毛材の先端に先割れを形成することは、１本の毛材を無数の細毛に分割する事を言う。分割された細毛１本あたりの断面積は元の毛材に比較すると減少する。毛材の断面積が減少すると毛材の曲げ回復力は著しく劣り、所定の曲げ弾性を得る事ができない。しかしながらポリトリメチレンテレフタレート繊維は非常に高い伸長回復率、あるいは優れた曲げ回復力特性を得られる為、ブラシ毛材にポリトリメチレンテレフタレート繊維、あるいはポリトリメチレンテレフタレート繊維と異種繊維を使用することにより、たとえ毛材の断面積が減少したとしてもブラシ毛材の曲げ回復力不足に陥り難くなる。【００３８】  第８の発明は、ポリトリメチレンテレフタレート繊維が結晶構造中で分子鎖が繊維軸方向にジグザグのバネ状に屈曲している為、曲げ応力にたいして優れた曲げ回復力を有するが、ブラシロールを構成するブラシ毛材のポリトリメチレンテレフタレート繊維、あるいはポリトリメチレンテレフタレート繊維と異種繊維の外形形状に屈曲、屈折部を形成することにより、バネと同じように外部応力にたいして、屈曲、屈折部においてスムーズに応力を逃すことができる。又、応力がなくなるとスムーズに回復する為、屈曲、屈折部を設ける事により、更に曲げ回復力を高めることが可能となる。【００３９】  以下、本発明の実施の形態について、図面を参照しながら説明する。なお、この実施の形態により本発明が限定されるものではない。
【実施例１】
【００４０】  図１、図２、図５及び図６において実施例１を示す。図１は、本発明のブラシ毛材を使用した清掃、研削、研磨、表面処理、洗浄に用いるブラシロールを前面から見た斜視図である。図１において、１はブラシロール、２は芯線、３はポリトリメチレンテレフタレート繊維ブラシ毛、４は異種繊維ブラシ毛、５はブラシ表面、６は芯材で２の芯線を撚ったものである。図２は、実施例１の他の実施の形態を前面から見た斜視図である。図２において、１０はブラシロール、１１は異種繊維ブラシ毛、１２はポリトリメチレンテレフタレート繊維ブラシ毛、１３はチャンネルブラシ、１４は止め金具、１５は芯材、１６はブラシ表面である。図５の（Ａ）は図２の１３のチャンネルブラシ断面の拡大斜視図である。５０は帯状体、５１はポリトリメチレンテレフタレート繊維ブラシ毛、５２は異種繊維ブラシ毛、５３は芯線である。図５の（Ｂ）は図２の止め金具１４の拡大斜視図である。５５はアリゲーター、５６は固定ボルトである。図６の（Ａ）は実施例１の他の実施の形態を前面から見た斜視図である。図６の（Ａ）において、６０はブラシロール、６１は植毛穴、６２は基台、６３はポリトリメチレンテレフタレート繊維ブラシ毛あるいは異種繊維ブラシ毛である。図６の（Ｂ）は図６の（Ａ）の部分拡大図である。図６の（Ｂ）において、６１は植毛穴、６５は異種繊維ブラシ毛、６６はポリトリメチレンテレフタレート繊維ブラシ毛、６７は平線である。【００４１】  本発明のブラシロール１は、図１の如く、芯材６、ポリトリメチレンテレフタレート繊維ブラシ毛３、異種繊維ブラシ毛４より構成されてある。ブラシロール１は、ポリトリメチレンテレフタレート繊維ブラシ毛３のみ、またはポリトリメチレンテレフタレート繊維ブラシ毛３及び異種繊維ブラシ毛４を複数の芯線２に挟み込んだ後、芯線２に捻りを加えて前記ポリトリメチレンテレフタレート繊維ブラシ毛３のみ、またはポリトリメチレンテレフタレート繊維ブラシ毛３及び異種繊維ブラシ毛４を芯線にてカシメ係止させてある。【００４２】  次に、ブラシロール１の動作を説明する。ブラシロール１は、芯線２を複数本捩られた芯材６をドリル、フライス盤等の回転装置等、及び、各種治具等に装着しブラシ面５を被加工面に接触させ使用する。接触の際、ブラシ面５と被加工面の間に摩擦抵抗が発生する。前記摩擦抵抗により被加工面上にある塵埃は被加工面上から剥され、毛材の曲げ回復力によって塵埃が弾き飛ばされ清掃、表面処理が行われる。また、毛材に研磨材料を含むことにより研削、研磨加工、バリ取りに使用することも可能である。更にブラシロール１あるいは、被加工面が液中であれば、被加工面の洗浄を行える。【００４３】  ブラシロール１は上記の如く、ブラシ表面５は被加工面に接触し、更に接触部分においてブラシ毛材は曲げ応力を受ける事となる。また、ブラシロール１を、例えば筒状の内面に差込んだ後ブラシロール１を筒状の内面に接触させ回転した場合、ブラシロール１の全周に亘り常に曲げ応力を受ける。ブラシ毛材に常に曲げ荷重を加えると毛材は塑性変形を引き起こし寝癖の状態となるが、曲げ回復力に優れるポリトリメチレンテレフタレート繊維ブラシ毛３を構成に含むことにより、���癖の発生を抑え且つ長期に渡り被加工面に同条件の当接を持続させるブラシロールを提供できる。【００４４】  次に、図２の実施例１の他の実施の形態を説明する。図２の１０は他の実施の形態のブラシロールを前面から見た斜視図である。ブラシロール１０は、芯材１５、チャンネルブラシ１３、止め金具１４、ポリトリメチレンテレフタレート繊維ブラシ毛１２のみ、またはポリトリメチレンテレフタレート繊維ブラシ毛１２及び異種繊維ブラシ毛１１から形成されてある。芯材１５は略円筒形状からなり、外周の両端部には、止め金具１４が組みつけられて形成されてある。【００４５】  また、図５は、図２のチャンネルブラシ１３及び止め金具１４の図を拡大したものである。チャンネルブラシ１３は、図５の帯状体５０の如く、既Ｃ字断面溝部と抜け止めの芯線５３の間にポリトリメチレンテレフタレート繊維ブラシ毛５１ないし異種繊維ブラシ毛５２を、図５の（Ａ）の如く、芯線５３にて挟み付けて折り込んだ後、図２の如く、芯材１５の外周の周りに捩りを加えてポリトリメチレンテレフタレート繊維ブラシ毛５１と異種繊維ブラシ毛５２を交互に並ぶよう螺旋状に形成し、芯材１５に固定ボルト５６にてアリゲーター５５を係止させた後、アリゲーター５５にたいして、前記帯状体５０を係止させる。【００４６】  次に、本発明のブラシロール１０の動作を説明する。ブラシロール１０は、芯材１５を回転装置に装着しブラシ表面１６を被加工面に押し当て接触させながら回転させてある。ブラシロールの毛材と被加工面が擦れ合うことにより両者間に摩擦抵抗が発生する。摩擦抵抗により被加工面上にある塵埃は被加工面上から剥され、毛材の曲げ回復力によって塵埃が弾き飛ばされ清掃、表面処理が行われる。また、毛材に研磨材料を含むことにより研削、研磨加工、バリ取りに使用することも可能である。更にブラシロール１０、あるいは被加工面が液中であれば、被加工面の洗浄を行える。【００４７】  ブラシロール１０は上記の如く、ブラシロール１０と被加工面に押し当て接触させながら擦れ合う為、接触部分においてポリトリメチレンテレフタレート繊維ブラシ毛１２，異種繊維ブラシ毛１１は曲げ応力を受ける事となる。また、ブラシロール１０は回転しているため、ポリトリメチレンテレフタレート繊維ブラシ毛１２，異種繊維ブラシ毛１１は、被加工物と接触する部分で曲げ応力を受け、ポリトリメチレンテレフタレート繊維ブラシ毛１２，異種繊維ブラシ毛１１は、被加工物と接触しない部分では、曲げ応力が開放される。この行程を全周に亘り繰り返す為、常に繰り返し曲げ荷重がポリトリメチレンテレフタレート繊維ブラシ毛１２，異種繊維ブラシ毛１１にかかる。更に、前記動作を繰り返す事により、ポリトリメチレンテレフタレート繊維ブラシ毛１２，異種繊維ブラシ毛１１は塑性変形を引き起こし寝癖につながる、しかしながら優れた曲げ回復力を有するポリトリメチレンテレフタレート繊維ブラシ毛１２をブラシロール１０の構成に含むことにより、ブラシロール１０の構成では、優れた曲げ回復力を有するポリトリメチレンテレフタレート繊維ブラシ毛１２はブラシ構造中において柱あるいは、壁の役目を果たす。ポリトリメチレンテレフタレート繊維ブラシ毛１２��比較し、曲げ回復力に劣る異種繊維ブラシ毛１１が曲げ応力にたいし回復できずに倒れる状態になるところを、優れた曲げ回復力を有するポリトリメチレンテレフタレート繊維ブラシ毛１２が異種繊維ブラシ毛１１を押し戻す。更にブラシロール１０の場合、ポリトリメチレンテレフタレート繊維ブラシ毛１２と異種繊維ブラシ毛１１を交互に並ぶよう螺旋状に形成されており、不規則にポリトリメチレンテレフタレート繊維ブラシ毛１２がブラシロール中に配列されるブラシロールに比較し、より効果的に寝癖の発生を抑え且つ長期に渡り被加工面に同条件の接触を持続させるブラシロールを提供できる。【００４８】  次に、図６の実施例１の他の実施の形態を説明する。図６の（Ａ）のブラシロール６０は、基台６２にあらかじめ図６の（Ｂ）の平線６７の長手方向よりわずかに小さな植毛穴６１をあけておき、図６の（Ｂ）のポリトリメチレンテレフタレート繊維ブラシ毛６６、異種繊維ブラシ毛６５を折り曲げ、平線６７を挟み込んだ後、植毛穴６１にたいし垂直方向にポリトリメチレンテレフタレート繊維ブラシ毛６６、異種繊維ブラシ毛６５、平線６７を差込み、カシメ係止させてある。一般的に既四角形状平板の平線６７を使用した前記植毛方法を平線植毛と呼称する。また、平線６７の他に既円形形状を使用し差し込み、係止さしめたる植毛方法を一般的に丸線植毛と呼称する。【００４９】  ブラシロールを構成するブラシ毛材にポリトリメチレンテレフタレート繊維ブラシ毛と異種繊維ブラシ毛を併用する場合、ポリトリメチレンテレフタレート繊維ブラシ毛と異種繊維ブラシ毛をあらかじめ混毛させ植毛しても良い。【００５０】  図６の（Ｂ）の如く、ブラシロールの毛材がポリトリメチレンテレフタレート繊維６６と異種繊維６５等同一でない種類のブラシ毛をあらかじめ混合させて植毛する方法を一般的に混毛と呼称されてある。
【実施例２】
【００５１】  図３の（Ａ）、及び図３の（Ｂ）において実施例２を示す。図３の（Ａ）は、毛先を既半球形状に加工したポリトリメチレンテレフタレート繊維ブラシ毛及び異種繊維ブラシ毛の拡大斜視図である。２０はポリトリメチレンテレフタレート繊維ブラシ毛及び異種繊維ブラシ毛、２１は既半球形状の毛先である。また、図３の（Ｂ）は毛先を先細に加工したポリトリメチレンテレフタレート繊維ブラシ毛及び異種繊維ブラシ毛の拡大斜視図である。２３は先細先端形状である。【００５２】  図３において、ポリトリメチレンテレフタレート繊維ブラシ毛材及び異種繊維ブラシ毛材の少なくとも１本以上を、毛先に近くなる程、断面積が大から小に徐変するように形成してある。図３の２０において、先端形状は、既半球形状２１が形成されてある。先端部に平面部が形成されてあっても良い。図３の２２の部分では、先端先細形状２３部分が形成されてある。先端部に平面部が形成されてあっても良い。【００５３】  次に、本発明の図３の２０及び２２のポリトリメチレンテレフタレート繊維ブラシ毛及び異種繊維ブラシ毛を使用した実施例２のブラシロールの動作を説明する。被加工面が微細な凹凸である場合、前記被加工面の凹凸より既半球形状２１あるいは、鋭利に尖った先細部分２３の様に毛先の断面積が大から小になるよう加工したブラシ毛材を使用することにより、微細な凹凸にたいして先端が入り込むことが可能となる為、微細な凹凸部の清掃、表面処理、洗浄加工等が可能となる。また先端に直角なエッジが形成されていない為、被加工面にたいして傷、打痕等が発生する事を、極力、防止抑制できる。
【実施例３】
【００５４】  また、図３の（Ｃ）において実施例３を示す。図３の（Ｃ）は毛丈に段差がつけられたポリトリメチレンテレフタレート繊維ブラシ毛及び異種繊維ブラシ毛の前面上部図である。２４はポリトリメチレンテレフタレート繊維ブラシ毛及び異種繊維ブラシ毛、２５は、毛丈の高いポリトリメチレンテレフタレート繊維ブラシ毛及び異種繊維ブラシ毛、２６は、毛丈の低いポリトリメチレンテレフタレート繊維ブラシ毛及び異種繊維ブラシ毛である。また、２７は２５と２６の高低差を表したものである。【００５５】  次に、図３の２４において実施例３を説明する。図３の２４は実施例３のブラシロール中において、毛丈の高いブラシ毛２５と毛丈の低いブラシ毛２６の毛材が植毛されて形成されたブラシロールである。ブラシロールが既円筒形であった場合、毛丈が均一でない為、外周部に凹凸がある状態である。【００５６】  次に、本発明の図３のブラシロールの動作を、本発明を使用しないブラシロールと比較して説明する。例えば被加工面が非常に傷つき易く、奧行きのあるものであった場合、ポリトリメチレンテレフタレート繊維ブラシ毛あるいは異種繊維ブラシ毛を被加工面に対して深く当接させ被加工面の低い部位にポリトリメチレンテレフタレート繊維ブラシ毛あるいは異種繊維ブラシ毛が届く位置に設定しなければならない。例えば、毛丈が同一の高さであり、更にブラシ毛材も同一の場合、被加工面の高い部分には、高い圧力が被加工面に掛かり傷を付ける可能性が高い、しかし被加工面の低い部分においては毛腰が柔らかすぎる又は届かない事がある。しかしこのブラシ毛材のポリトリメチレンテレフタレート繊維ブラシ毛、あるいは異種繊維ブラシ毛の毛丈に段差を形成する事により、前記問題を回避あるいは緩和できる。本発明の図３の２４のブラシ毛を使用することにより次の解決策が考えられる、毛腰の強いポリトリメチレンテレフタレート繊維ブラシ毛の毛丈を２６の如くに低くし、毛腰の弱い異種繊維ブラシ毛の毛丈を２５の如くに高く設定することにより、被加工物表面にたいして、毛元部分はポリトリメチレンテレフタレート繊維ブラシ毛２６と異種繊維ブラシ毛２５が密に植毛されている為、毛腰は強く、逆に異種繊維毛材２５のみの毛先部分は毛材自身が曲げ回復力が弱い上、疎の状態で植毛されている為、毛腰を弱く設定でき被加工面に傷を付け難く且つ被加工面に当接させる事ができる。また毛腰の強いポリトリメチレンテレフタレート繊維ブラシ毛の毛丈を２５の如くに高くし、毛腰の弱い異種繊維ブラシ毛の毛丈を２６の如く、低くした場合、異種繊維に対しポリトリメチレンテレフタレート繊維毛の毛丈が高く、ポリトリメチレンテレフタレート繊維ブラシ毛２５が突き出た部分では、ポリトリメチレンテレフタレート繊維毛２５の自由度が高く、より強い弾力性で被加工物表面に当接させる事ができる。前記の如く、ポリトリメチレンテレフタレート繊維毛の毛丈と異種繊維毛の毛丈の段差の度合いを変化設定させることによりブラシロールの毛腰を任意に変化設定する事が可能となる。【００５７】  次に図４について説明する。図４の（Ａ）、（Ｃ）、（Ｄ）において実施例２の他の実施の形態を示す。図４の（Ａ），（Ｃ）、（Ｄ）はポリトリメチレン���レフタレート繊維ブラシ毛及び異種繊維ブラシ毛の部分拡大図である。図４の（Ｂ）は実施例１の他の実施の形態の図２の部分拡大図である。図４の３０は、多角形に形成したポリトリメチレンテレフタレート繊維あるいは異種繊維の切断面を上部から見た拡大斜視図である。３１は稜線である。図４の３５は、ポリトリメチレンテレフタレート繊維あるいは異種繊維に屈曲部または、屈折部を設けたブラシ毛を前面上部から見た部分拡大図である。３７は屈曲、屈折部である。図４の３８はポリトリメチレンテレフタレート繊維あるいは異種繊維に先割れ加工を施したブラシ毛を前面から見た部分拡大図である。【００５８】  図４の（Ａ）において実施例２の他の実施の形態を説明する。図４の３０は、実施例１のロールブラシ１あるいは実施例１の他の実施の形態のロールブラシ１０または、６０に使われるポリトリメチレンテレフタレート繊維ブラシ毛、あるいは異種繊維ブラシ毛の先端部の拡大図である。図４の３０は前記ブラシ毛の断面形状が既三角形状を形成している、また、三角形状に沿って３１の稜線が６本形成されてある。【００５９】  図４の３０のポリトリメチレンテレフタレート繊維ブラシ毛、あるいは異種繊維ブラシ毛の動作について説明する。研削、研磨、表面処理、洗浄、バリ取り加工は被加工面を削り取る、あるいは剥し取る等の方法が一般的である。この場合、ブラシロールの毛材はなるべくエッジを多く、鋭角に形成させた方が、被加工面にたいして抵抗が大きくなり、一回当たりの削り取り量あるいは剥し取り量が多くでき、加工時間を短縮できる。エッジを、多く且つ鋭角にする為、３０のブラシ毛材のポリトリメチレンテレフタレート繊維毛、あるいはポリトリメチレンテレフタレート繊維毛と異種繊維毛は、少なくとも１本以上の断面が、多角形に形成することにより、円筒形と断面積で比較した時、エッジが外周長だけの円筒形に比較し、多角形では長いエッジ長を得られる。また、図４の３０の形状の毛材では、更に繊維軸方向にエッジが形成され３１の如く６本の稜線が形成される。また、３線が交わり各角度を持つ鋭角なエッジを設定する事が可能となり、被加工面の広範囲を短時間で加工する事ができる。【００６０】  図４の３０のポリトリメチレンテレフタレート繊維ブラシ毛、あるいは異種繊維ブラシ毛の断面形状は上記三角形状に限定せず、多角を有する多角形状であっても良い。【００６１】  次に図の４の（Ｃ）において実施例２の他の実施の形態について説明する。３５はポリトリメチレンテレフタレート繊維ブラシ毛あるいは、異種繊維ブラシ毛、３７は屈曲、屈折部である、【００６２】  図４の３５はポリトリメチレンテレフタレート繊維ブラシ毛、異種繊維ブラシ毛であり、屈折あるいは屈曲部３７が形成されてある。屈折あるいは屈曲部３７を設けると、ポリトリメチレンテレフタレート繊維ブラシ毛、異種繊維ブラシ毛にたいし、外部応力が加わると屈曲、屈折部で外部応力をバネの如くスムーズに逃がすことができる。又、外部応力を受けなくなると形状復元がスムーズに行われる。【００６３】  次に図の４の３５の動作について説明する。ブラシロールは被加工面に押し当て接触させながら擦れ合う為、接触部からブラシ毛３５は曲げ応力���受ける事となる。また、ブラシロールは回転している為、ブラシ毛３５と被加工物が接触する部分で曲げ応力を受け、ブラシ毛３５と被加工物が接触しない部分では、曲げ応力が開放される、この行程を全周に亘り繰り返す為、常に繰り返し曲げ荷重がブラシ毛材３５にかかる。しかしながら、図４の３５のブラシロールには、優れた曲げ回復力を持つポリトリメチレンテレフタレート繊維ブラシ毛が使われてあるとともに、上記の如く、屈曲、屈折部３７をポリトリメチレンテレフタレート繊維ブラシ毛あるいは、異種繊維ブラシ毛に設ける事により、外部応力が加わった場合、屈曲、屈折部３７においてバネの如く外部応力をスムーズに逃がし、外部応力が無くなるとスムーズに形状が復元し、優れた曲げ回復力を得る事ができる。【００６４】  次に図の４の（Ｄ）において実施例２の他の実施の形態について説明する。図４の（Ｄ）はポリトリメチレンテレフタレート繊維あるいは異種繊維の先割れ毛材である。３８はポリトリメチレンテレフタレート繊維ブラシ毛あるいは、異種繊維ブラシ毛の毛先部を繊維軸方向に分割加工した形状に加工したものである。３９は分割部分、４０は分割未加工部分でありブラシ毛の原形と同形である。【００６５】  図４の３８のポリトリメチレンテレフタレート繊維あるいは異種繊維の形状は既円筒あるいは既多角柱のブラシ毛の先端部を回転カッター等で、繊維軸方向に切れ目を入れ、一本のブラシ毛を複数本に分割したものである。前記加工方法は一般的に先割れ加工と呼称される。又、先割れ加工した３９は先割れ部と呼称されている。【００６６】  次に図４の３８の動作について説明する。ブラシロールを構成するブラシ毛材のポリトリメチレンテレフタレート繊維、あるいはポリトリメチレンテレフタレート繊維と異種繊維の少なくとも１本以上にたいし、上記の如く先割れ部を形成する。先割れ加工することにより、本来のブラシ毛材４０の断面積に比較して、先割れにより分割された毛材３９の１本、１本の断面積は小となる。微細な凹凸形状の僅かな隙間より分割された毛材３９の径が小さければ、僅かな凹凸形状の隙間にも毛先を当接させる事が可能となり、被加工面の微細な箇所にも、効果的な清掃、研削、研磨、表面処理、洗浄、バリ取り加工が可能となる。しかし、一般的に毛材の断面積が減少すると毛材の曲げ回復力は著しく劣り、所定の曲げ弾性を得る事ができない。本発明のポリトリメチレンテレフタレート繊維は非常に高い伸長回復率、あるいは優れた曲げ回復力特性を得られる為、図の４の３８のブラシ毛材にポリトリメチレンテレフタレート繊維、を使用することにより、たとえ毛材の断面積が減少したとしてもブラシ毛材の曲げ回復力不足に陥り難くなる。
【実施例４】
【００６７】  次に図４の（Ｂ）において実施例４を説明する。図４の（Ｂ）は、ポリトリメチレンテレフタレート繊維ブラシ毛と異種繊維ブラシ毛の撚り状体の前面上部拡大図である。３２はポリトリメチレンテレフタレート繊維ブラシ毛と異種繊維ブラシ毛を撚り合わせて１本の撚り状体に形成されたブラシ毛、３４はポリトリメチレンテレフタレート繊維ブラシ毛である。３３は異種繊維ブラシ毛である。【００６８】  図４の３２は異種繊維ブラシ毛３３あるいはポリトリメチレンテレフタレート繊維ブラシ毛３４を複数本螺旋状に捻り撚り合わせた状態で形成されてあり、撚りあわされた図４の３２のような材料は一般的に撚り糸と呼称されてある。【００６９】  図４の３２の動作について説明する。異種繊維ブラシ毛３３とのポリトリメチレンテレフタレート繊維ブラシ毛３４は螺旋状に捻られた形状を成している、前記形状は曲げ応力にたいし高い回復力を持つコイルバネと同形状であり、直線のブラシ毛に比較して螺旋状に捻られたブラシ毛は曲げ回復力に優れる。更に、数本を撚り合わせることにより、ブラシ毛軸方向に掛かる耐圧力が上がる為、図４の３２のブラシ毛材は曲げ圧力や倒れにたいして強くなり寝癖がつき難い。更に異繊維ブラシ毛３３をナイロン、ＰＥＴ、ＰＰ、ＰＥ等繊維とした場合、ナイロン、ＰＥＴ、ＰＰ、ＰＥ等、異種繊維ブラシ毛３３はポリトリメチレンテレフタレート繊維毛３４に比較し曲げ回復力が劣るが、ポリトリメチレンテレフタレート繊維毛３４がブラシロール撚り状体の毛材中に存在する事により、優れた曲げ回復力特性を持つポリトリメチレンテレフタレート繊維毛３４が芯材の役割を果たす為、ナイロン、ＰＥＴ、ＰＰ、ＰＥ等繊維毛３３の曲げ回復力不足を効果的に補いロールブラシ毛全体に寝癖が付きにくくなる。【００７０】  本発明のブラシロールを構成するブラシ毛材の組み合わせは、ポリトリメチレンテレフタレート繊維ブラシ毛のみを使用、あるいは、ポリトリメチレンテレフタレート繊維ブラシ毛と異種繊維ブラシ毛を併用する組み合わせであるが、ポリトリメチレンテレフタレート繊維ブラシ毛にたいし異種繊維ブラシ毛は１種類に限定せず数種類併用して構成されても良い。【００７１】  異種繊維とは、ナイロン、ＰＥＴ、ＰＰ、ＰＥ、ウレタン、アクリル等のポリトリメチレンテレフタレート繊維以外のものをいう。【００７２】  なお、ブラシロールの植毛方法に関しては、特に限定されるものでは無く、上記の如くの植毛方法以外にも、使用目的に応じて、適時、設定する事ができる。
【産業上の利用可能性】
【００７３】  本発明のブラシロールは、主に、鋼板、非鉄金属板、樹脂板、フィルム状組成物、及びガラス板等の清掃、研削、研磨、表面処理、洗浄、バリ取りに使用するものである。また、自動車、電車、バス等各種車両の内外面の洗浄ブラシ、一般家庭、あるいは事業所内の室内清掃用ブラシ、電気掃除機の床ノズルに搭載される回転ブラシ等、広く好適に使用できる。
【図面の簡単な説明】
【００７４】
【図１】  本発明のブラシ毛材を使用した清掃、研削、研磨、表面処理、洗浄に用いるブラシロールを前面から見た斜視図
【図２】  実施例１の他の実施の形態を前面から見た斜視図
【図３】  Ａは毛先を既半球形状に加工したポリトリメチレンテレフタレート繊維ブラシ毛及び異種繊維ブラシ毛の拡大斜視図  Ｂは毛先を先細に加工したポリトリメチレンテレフタレート繊維ブラシ毛及び異種繊維ブラシ毛の拡大斜視図  Ｃは毛丈に段差がつけられたポリトリメチレンテレフタレート繊維ブラシ毛及び異種繊維ブラシ毛の前面上部図
【図４】  Ａは多角形に形成したポリトリメチレンテレフタレート繊維あるいは異種繊維の切断面を上部から見た拡大斜視図  Ｂはポリトリメチレンテレフタレート繊維ブラシ毛と異種繊維ブラシ毛の撚り状体の前面上部拡大図  Ｃはポリトリメチレンテレフタレート繊維あるいは異種繊維に屈曲部または、屈折部を設けたブラシ毛を前面上部から見た部分拡大図  Ｄはポリトリメチレンテレフタレート繊維あるいは異種繊維に先割れ加工を施したブラシ毛を前面から見た部分拡大図
【図５】  Ａは図２の１４のチャンネルブラシ断面の拡大斜視図  Ｂは図２の止め金具１４の拡大斜視図
【図６】  Ａは実施例１の他の実施の形態を前面から見た斜視図  Ｂは図６のＡの部分拡大図
【符号の説明】
【００７５】  １、１０、６０  ブラシロール
２、５３  芯線
３、１２、３４、５１、６６  ポリトリメチレンテレフタレート繊維ブラシ毛
４、１１、３３、５２、６５  異種繊維ブラシ毛
５、１６  ブラシ表面
６、１５  芯材
１３  チャンネルブラシ
１４  止め金具
２０、２２、２４、３０、３５、６３  ポリトリメチレンテレフタレート繊維ブラシ毛あるいは異種繊維ブラシ毛
２１  既半球形状
２３  先細先端形状
２５  毛丈の高いポリトリメチレンテレフタレート繊維ブラシ毛及び異種繊維ブラシ毛
２６  毛丈の低いポリトリメチレンテレフタレート繊維ブラシ毛及び異種繊維ブラシ毛
２７  高低差
３１  稜線
３２  撚り状体
３７  屈曲、屈折部分
３８  ポリトリメチレンテレフタレート繊維あるいは異種繊維の先割れ毛材
３９  先割れ部
４０  先割れ未加工部分
５０  帯状体
５５  アリゲーター
５６  固定ボルト
６１  植毛穴
６２  基台
６７  平線
【図１】
2007185469.tif 000002
【図２】
2007185469.tif 000003
【図３】
2007185469.tif 000004
【図４】
2007185469.tif 000005
【図５】
2007185469.tif 000006
【図６】
2007185469.tif 000007